(57)【要約】  例えば生理用ナプキン、パンティライナー、失禁保護具、オムツなどの吸収用品は、第１および第２の面を備えた吸収体(４)と、感湿添加剤(８)(例えば細菌性組成物)と、キャリア部材(１０)とを具備している。キャリア部材(１０)は、第１および第２の水蒸気不透過材料層(１２，１３)を具備してなり、この材料層は、両者の間に感湿添加剤(８)を保持した水蒸気不透過容積(９)を形成するために、シール(１１)によって封止されている。キャリア部材(１０)は、吸収体(４)の第１および第２の面の上に配置されている。
2009521253.tif 000002
【特許請求の範囲】
【請求項１】
第１の面および第２の面を備えた吸収体(４)と、感湿添加剤(８)と、キャリア部材(１０)とを具備してなる吸収用品(１)であって、
前記キャリア部材(１０)は、第１および第２の水蒸気不透過材料層(１２，１３)を具備してなり、前記材料層は、その間に前記感湿添加剤(８)を保持する水蒸気不透過容積(９)を形成するためのシール(１１)によって封止されており、前記キャリア部材(１０)は、前記吸収体(４)の前記第１または第２の面に配置されていることを特徴とする吸収用品(１)。
【請求項２】
前記第１および／または第２の材料層(１２，１３)は、金属箔を具備してなることを特徴とする請求項１に記載の吸収用品。
【請求項３】
前記金属箔は、アルミニウム製であることを特徴とする請求項２に記載の吸収用品。
【請求項４】
前記金属箔は、少なくとも２μｍ、好ましくは５〜２０μｍ、そして最も好ましくは７〜１０μｍの厚みを有していることを特徴とする請求項２または請求項３のいずれか一項に記載の吸収用品。
【請求項５】
前記第１および／または第２の材料層(１２，１３)は、金属酸化物の層および／またはシリコン酸化物の層を具備してなることを特徴とする請求項１ないし請求項４のいずれか一項に記載の吸収用品。
【請求項６】
前記金属酸化物の層は、アルミニウム酸化物製の層であることを特徴とする請求項５に記載の吸収用品。
【請求項７】
前記第１および／または第２の材料層は、ポリマーフィルムを具備してなることを特徴とする請求項１ないし請求項６のいずれか一項に記載の吸収用品。
【請求項８】
前記ポリマーフィルムは、ポリエチレン、ポリプロピレン、ポリエステル、ポリ塩化ビニル、ポリ二塩化ビニル、環状オレフィン共重合体、コポリマー、およびそれらの混合体、金属化ポリオレフィン、ならびにセラミックバリアを備えたプラスティックラミネートからなる群から選択されるものであることを特徴とする請求項７に記載の吸収用品。
【請求項９】
前記第１および／または第２の材料層(１２，１３)は、ポリマー材料を具備してなるラミネートを具備してなることを特徴とする請求項１ないし請求項８のいずれか一項に記載の吸収用品。
【請求項１０】
前記第１および／または第２の材料層(１２，１３)は、金属箔およびポリマー材料ならびに／またはワックスからなるラミネートを具備してなることを特徴とする請求項１ないし請求項１０のいずれか一項に記載の吸収用品。
【請求項１１】
前記ラミネートは、少なくとも三つのラミネート層を具備してなることを特徴とする請求項９または請求項１０に記載の吸収用品。
【請求項１２】
前記ポリマー材料またはワックスは、前記感湿添加剤(８)に面する内側ラミネート層(１４)を形成していることを特徴とする請求項１０または請求項１１に記載の吸収用品。
【請求項１３】
前記ポリマー材料は、前記感湿添加剤(８)と反対の方向に面する外側ラミネート層(１６)を形成していることを特徴とする請求項１０ないし請求項１３のいずれか一項に記載の吸収用品。
【請求項１４】
前記内側ラミネート層(１４)および前記外側ラミネート層(１６)の両方は、ポリマー材料および／またはワックスによって形成されることを特徴とする請求項１１ないし請求項１３のいずれか一項に記載の吸収用品。
【請求項１５】
前記ポリマー材料は、ポリエチレン、ポリプロピレン、ポリエステル、ポリエチレンテレフタラート、ポリ塩化ビニル、ポリ二塩化ビニル、環状オレフィン共重合体、ポリオレフィン、金属化ポリオレフィン、エチレン酸化ビニルコポリマー、エチレンエチルアクリラートコポリマー、エチレンブチルアクリラートコポリマー、ポリアミド、ポリビニルアルコール、イオノマー、コポリマーおよびそれらの混合体ならびにセラミックバリアを備えたプラスティックラミネートからなる群から選択されるものであることを特徴とする請求項９ないし請求項１４のいずれか一項に記載の吸収用品。
【請求項１６】
前記ワックスは、植物性ワックス、ミネラルワックス、動物性ワックス、シリコンワックスおよびそれらの混合体からなる群れから選択されたものであることを特徴とする請求項９ないし請求項１４のいずれか一項に記載の吸収用品。
【請求項１７】
前記ポリマー材料もしくはワックスは、前記水蒸気不透過容積(９)の周囲で前記シール(１１)を形成することを特徴とする請求項１２、請求項１５および請求項１６のいずれか一項に記載の吸収用品。
【請求項１８】
前記水蒸気不透過容積(９)の前記シール(１１)は、少なくとも１ｍｍ、好ましくは３ｍｍ、そして最も好ましくは５ｍｍの幅(Ｗ)を有していることを特徴とする請求項１ないし請求項１７のいずれか一項に記載の吸収用品。
【請求項１９】
前記キャリア部材の長さは、１〜１５ｃｍ、好ましくは２〜８ｃｍ、そして最も好ましくは２〜５ｃｍであることを特徴とする請求項１ないし請求項１８のいずれか一項に記載の吸収用品。
【請求項２０】
前記キャリア部材の幅は、０.５〜５ｃｍ、好ましくは０.８〜３ｃｍ、最も好ましくは１〜２ｃｍであることを特徴とする請求項１ないし請求項１９のいずれか一項に記載の吸収用品。
【請求項２１】
前記吸収用品(１)は、液体浸透性表面シート(２)および背面シート(３)を具備してなり、前記吸収体(４)は、前記表面シート(２)および前記背面シート(３)の間に配置されていることを特徴とする請求項１ないし請求項２０のいずれか一項に記載の吸収用品。
【請求項２２】
前記キャリア部材(１０)は、前記表面シート(２)の着用者に面する側に配置されることを特徴とする請求項２１に記載の吸収用品。
【請求項２３】
前記キャリア部材(１０)は、前記表面シート(２)と前記吸収体(４)との間に配置されていることを特徴とする請求項２１に記載の吸収用品。
【請求項２４】
前記キャリア部材(１０)は、二つの材料層(１２，１３)を、両者の間に前記感湿添加剤が存在する状態で一方を他方の上に存在するように配置すること、および前記二つの材料層の間に形成された開いた縁を封止することによって形成されていることを特徴とする請求項１ないし請求項２３のいずれか一項に記載の吸収用品。
【請求項２５】
前記キャリア部材は、一つの材料層(１２もしくは１３)を、前記感湿添加剤が二つの材料層(１２，１３)の間に配置された状態となるように、折り込まれた材料層の間に配置されること、および前記開いた縁に沿って前記折り込まれた材料層(１２，１３)を互いに封止することによって形成されていることを特徴とする請求項１ないし請求項２４のいずれか一項に記載の吸収用品。
【請求項２６】
前記感湿添加剤(８)は、細菌性組成物であることを特徴とする請求項１ないし請求項２５のいずれか一項に記載の吸収用品。
【請求項２７】
前記細菌性組成物は乾燥パウダーの形態であることを特徴とする請求項１ないし請求項２６に記載の吸収用品。
【請求項２８】
前記細菌性組成物は、移送媒体もしくは担持要素中に分散されるか、または移送媒体もしくは担持要素に対して付加されることを特徴とする請求項２６または請求項２７に記載の吸収用品。
【請求項２９】
前記移送媒体は、疎水性の組成物であることを特徴とする請求項２８に記載の吸収用品。
【請求項３０】
前記担持要素は、繊維状の材料もしくは接着剤であることを特徴とする請求項２８に記載の吸収用品。
【請求項３１】
前記細菌性組成物は、乳酸を生じる細菌を含むことを特徴とする請求項２６ないし請求項３０のいずれか一項に記載の吸収用品。
【請求項３２】
前記乳酸を生じる細菌は、乳酸菌プランタルム９３１であることを特徴とする請求項３１に記載の吸収用品。
【請求項３３】
前記吸収用品(１)は、前記吸収用品(１)の長手方向において離間した少なくとも二つのキャリア部材(１０)を具備してなることを特徴とする請求項１ないし請求項３２のいずれか一項に記載の吸収用品。
【請求項３４】
前記キャリア部材(１０)は、吸収用品(１)の使用時に、一つの材料層(１２または１３)を開放状態になるように剥離させることによって、および／または破断することによって、その点で保たれていた感湿添加剤の放出するために開放されるため構成されることを特徴とする請求項１ないし請求項３３のいずれか一項に記載の吸収用品。
【発明の詳細な説明】
【技術分野】
【０００１】
本発明は、細菌性組成物のような感湿添加剤を保持するキャリア部材を備えた吸収用品、例えば生理用ナプキン、パンティライナー、失禁保護具、およびオムツに関連するものである。
【背景技術】
【０００２】
尿性器の領域は、５０以上の種類の細菌から構成される複雑な微生物の生態系を有している(非特許文献１)。妊婦の当該領域内において、優性の種は、乳酸菌類に属する、乳酸を生じる細菌である。この乳酸を生じる要素は、この領域内に健康な細菌フロラを保持するために重要であり、そして、病原性微生物の種に対して作用する、拮抗性効果のある共生の細菌の機能を果たす。乳酸を生じる細菌は、生物膜を形成することおよび有効な栄養素を得るために、競合することによって、転移増殖に適した地位を占有することによって、他の微生物による成長および転移増殖を妨げ、それによって有害な微生物による転移増殖を排除する。また、過酸化水素水の生産物、物質を阻害する特異性(例えばバクテリオシン)およびペーハー値の低い有機酸(乳酸および酢酸を含む)、他の微生物による転移増殖を妨げる。
【０００３】
健康的な個々の微生物の生態系は、抗生物質の使用、妊娠などのホルモンの変化の間中、またはエストロゲンを伴う避妊薬の使用、生理中、閉経後、糖尿病を患う人々などにおいて、正常な状態を逸脱し得る。また、微生物は肛門から尿性器の領域へと拡散し、それによって、感染が引き起こされるであろう。正常な微生物フロラの侵害、および個々の感染しやすい感染性の微生物の退出は結果的に、膣炎、尿路の感染、および通常の皮膚感染を引き起こす。微生物は一般に、大腸菌、腸球菌、プセドモナス、プロテウス属、クレブシエラ属、連鎖球菌、ブドウ球菌、ガルドネレラ属およびカンジダ属の一部として存在する感染症の種類と関連する。女性は特に、肛門と尿路との距離が短いために危険に晒される。特に危険なのは、尿性器内の微小生物フロラがまだ十分に発育していない若い女性、およびもはや保護性のフロラを有していない年配の女性である。
【０００４】
上述の種類の感染症に伴う問題を低減させる一つの方法は、個人の衛生状態を良好に保つことである。しかしながら、過度の薬の使用は有毒な微生物の量を減少させるだけでなく、有益な微生物フロラを損傷し、また、感染しやすい病原体の種を集落に与え、かつ感染症を引き起こす。あるいは、尿性器領域および皮膚に付着する乳酸を生じる細菌は、病原性の種を打ち負かし、かつこの領域での有益な微生物フロラの回復および維持するため、微生物の感染症を治療および防止する満足できる手段であることが判明している。
【０００５】
例えば特許文献１、特許文献２、特許文献３、特許文献４、および特許文献５に開示されているように、乳酸を生じる細菌は、例えばオムツ、生理用ナプキン、失禁ガード、パンティライナーおよびタンポンなどの吸収性製品より運ばれ得ることが示唆されている。
【０００６】
乳酸を生じる細菌の移転を用いることを意図されている製品を提供することの主要な問題は、移送および製品の保管中に、細菌の生存度を保持する必要があることである。乳酸を生じる細菌は、半湿状態下で迅速に生存度を失い、それゆえ細菌が制御不可能に、湿気に晒されないことが重要である。「半湿」状態とは、水分活性(ａｗ)が約０.２〜約０.９であることを意味する。乳酸を生じる細菌を用いて提供される吸収製品における問題を部分的に克服する一つの方法は、細菌を備えた製品を供給し、水分の大部分を除去するために乾燥し、かつ水分不浸透性の包装で封入することであった(特許文献３、特許文献６)。しかしながら、吸収性製品全体は感湿細菌とともに包装されているため、上記の吸収性製品の大きな範囲を乾燥させることが必要である。
これは吸収用品を生産する通常の製造法において、達成することが非常に困難である。これはまた柔軟性のない解決策である。なぜなら、一度製品を乾燥させると、水分が乳酸を生じる細菌に作用を始める前に、水分不浸透性包装で急速に封入する必要があるからである。
さらに、この水分不浸透性包装は、高価なフィルムから生産されるため、こうした大がかりな種類の包装にはかなり費用がかかる。
【０００７】
水分に対して細菌を保護するための代替手段は、疎水性特性は埋め込まれた細菌細胞に水分が到達することを妨げる原因となるため、疎水性物質の中に細菌を分散させることである(例えば、特許文献１、特許文献７、特許文献８参照)。これに伴う問題は、疎水性物質の製品を保持および包装するとき、拡散された細菌が望ましくない方法で製品一面に塗布もしくは包装に粘着する場合、製品を汚く見せるということである。疎水性物質が表面シート上に塗布された場合、これはまた、表面シート内の孔を詰まらせることにより、吸収度に対して負の影響を及ぼすことがある。また、所望の効果も低減されることがある。なぜなら、ある細菌は、包装が除去されるときに包装とともに失われ、またあるいは、使用時に尿性器の領域と直接接触しない製品上の位置で終わるためである。
【特許文献１】国際公開第92/13577号パンフレット
【特許文献２】国際公開第97/02846号パンフレット
【特許文献３】国際公開第99/17813号パンフレット
【特許文献４】国際公開第99/45099号パンフレット
【特許文献５】国際公開第00/35502号パンフレット
【特許文献６】欧州特許第1 210 277号明細書
【特許文献７】米国特許第4,518,696号明細書
【特許文献８】国際公開第02/28446号パンフレット
【非特許文献１】Hill他著、「Scand.J.Urol.Nephrol」、１９８４：８６年(増補)、ｐ.２３−２９(Hill et al.,Scand.J.Urol.Nephrol.1984;86(suppl.)23-29)
【発明の開示】
【発明が解決しようとする課題】
【０００８】
したがって、依然として、例えばこの添加剤は害を受けないこと、もしくは機能を喪失しないことから保証され、かつ保管されている製品の特性を保証される、乳酸を生じる細菌感湿添加剤を保護する改良された方法を提供する必要がある。さらに、依然として、効率的かつコストのかからない製造工程を提供することが求められている。
【課題を解決するための手段】
【０００９】
上述の問題は、本発明に基づく、第１および第２の面を備える吸収体と、感湿添加剤と、キャリア部材とを具備する吸収用品によって解決され、ここでキャリア部材は第１および第２の水蒸気不透過材料層を具備し、この材料層は、両者間に感湿添加剤を保持している水蒸気不透過容積(空間)を形成するためのシールによって封止されており、このキャリア部材は吸収構成体の第１または第２の面の間に配置されている。
【００１０】
以下に説明されている、この水蒸気不透過材料層およびシールは、このような場合、感湿添加剤を保持する容積中への水蒸気の拡散を妨げるように設計されている。
【００１１】
本発明の一つの態様において、第１および／または第２の材料層は、金属箔を備えている。さらなる本発明の態様において、金属箔はアルミニウム製である。当該容積は水蒸気不透過性を確実にすると同時に、コスト的な理由のための薄手のフィルムを有するという条件とバランスをとるために、本発明のさらなる態様において、この金属箔は少なくとも２μｍ、好ましくは５〜２０μｍの間の、そして最も好ましくは７〜１０μｍの間の厚みを有している。
【００１２】
一実施形態によれば、第１および／または第２の材料層は、金属酸化物の層(例えば酸化アルミニウムの層)、および／または酸化シリコンの層を備えている。
【００１３】
さらなる実施形態によれば、第１の材料層および／または第２の材料層は、ポリマーフィルムを備えている。このポリマーフィルムは、ポリエチレン、ポリプロピレン、ポリエステル、ポリ塩化ビニル、ポリ二塩化ビニル、環状オレフィン共重合体、コポリマー、およびそれらの混合体、金属化ポリオレフィン、ならびにセラミックバリアを備えたプラスティックラミネートからなる群から選択できる。このようなポリマー材料は、有効な水蒸気バリア特性を有していることが知られている。
本発明の一態様において、第１および／または第２の材料層は、このポリマー層を備えたラミネートを備えている。
【００１４】
他の態様によれば、第１および／または第２の材料層は、金属箔およびポリマー材料および／またはワックスのラミネート備えている。さらなる態様において、このラミネートは少なくとも三つのラミネート層を備えている。
【００１５】
このポリマー材料は、ポリエチレン、ポリプロピレン、ポリエステル、ポリエチレンテレフタラート、ポリ塩化ビニル、ポリ二塩化ビニル、環状オレフィン共重合体、ポリオレフィン、金属化ポリオレフィン、エチレン酸化ビニルコポリマー、エチレンエチルアクリラートコポリマー、エチレンブチルアクリラートコポリマー、ポリアミド、ポリビニルアルコール、イオノマー、コポリマーおよびそれらの混合体ならびにセラミックバリアを備えたプラスティックラミネートからなる群から選択されるものである。さらに当該ワックスは、植物性ワックス、ミネラルワックス、動物性ワックス、シリコンワックスおよびそれらの混合体からなる群れから選択されたものである。
【００１６】
ある態様において、ポリマー材料もしくはワックスは、感湿添加剤に面する内側ラミネート層を形成している。
【００１７】
他の態様において、ポリマー材料は感湿添加剤と反体の方向に面する外側ラミネート層を形成している。
【００１８】
さらなる態様において、内側ラミネート層および外側ラミネート層の両方は、ポリマー材料および／またはワックスによって形成される。
【００１９】
外側ラミネート層は、高い耐磨耗性および引裂強さを有し、かつ同時に、使用者の皮膚に対して快適であるように選択される。内側ラミネート層は、多くの場合、有効なシールを得られるように選択される。
【００２０】
本発明の一実施形態に基づいて、ポリマー材料またはワックスは、水蒸気不透過容積の周囲にシールを形成する。
【００２１】
水蒸気が容積中へ拡散することに要する時間を増加させるため本発明のある実施形態によれば、水蒸気不透過容積のシールは、少なくとも１ｍｍ、好ましくは３ｍｍ、そして最も好ましくは５ｍｍの幅を有している。
【００２２】
使用者の肌に対する感湿添加剤の有効な移転性を有し、かつ同時に有効な吸収性を有する吸収体を保証するために、本発明の一態様によれば、キャリア部材の長さは、１〜１５ｃｍ、好ましくは２〜８ｃｍ、最も好ましくは２〜５ｃｍである。さらなる態様において、キャリア部材の幅は、０.５〜５ｃｍ、好ましくは０.８〜３ｃｍ、最も好ましくは１〜２ｃｍである
【００２３】
吸収用品が、液体非浸透性表面シートおよび背面シートを備えている一実施形態において（この場合、吸収体は表面シートおよび背面シートの間に配置される）、キャリア部材は表面シートの着用者に面する側に配置される。他の実施形態において、キャリア部材は吸収体と表面シートの間に配置される。
【００２４】
本発明の一態様において、キャリア部材は、両者の間に前記感湿添加剤が存在する状態で一方を他方の上に存在するように配置すること、および前記二つの材料層の間に形成された開いた縁を封止することによって形成される。二つの離間する材料層は、二つの異なる材料層、もしくは同一の材料層からなっていてもよい。
【００２５】
本発明の他の態様において、キャリア部材は、一つの材料層を、感湿添加剤が二つの材料層の間に配置された状態となるように、折り込まれた材料層の間に配置されること、および開いた縁に沿って折り込まれた材料層を互いに封止することによって形成されている
【００２６】
本発明の一実施形態において、感湿添加剤は、細菌性組成物である。さらなる本発明の態様において、この細菌性組成物は、乾燥パウダーの形態である。本発明の他の態様において、細菌性組成物は、移送媒体または担持要素中に拡散され、もしくは移送媒体または担持要素に対して付加される。この移送媒体は、例えば疎水性組成物であってもよい。細菌性組成物に適したこの担持要素は、例えば、繊維性材料もしくは接着剤、例えば、その上に細菌性組成物が付加される粘着性フィルムである。
【００２７】
一実施形態において、細菌性組成物は乳酸を生じる細菌を含んでいる。
【００２８】
一実施形態において、乳酸を生じる細菌は、乳酸菌プランタルム９３１である。
【００２９】
吸収用品は、感湿添加剤を含む少なくとも二つのキャリア部材を備えていてもよい。それは用品の長手方向に離隔されていることが好ましい。
【００３０】
吸収用品の使用前において、キャリア部材の材料の層の一つは、細菌性組成物に対して着用者を晒すため、もしくは吸収用品を臭気抑制組成物へ露出するために、除去および破断されるべきである。本発明の一実施形態において、キャリア部材は、自由端と、その一方のキャリア部材へと一体化している残りの部分を有する糸を引くことによって開放される。引き糸の引っ張り時に、材料層／層群は剥離もしくは破断される。他の実施形態において、キャリア部材は材料層の一つの剥離によって、そしてさらなる実施形態において、材料層の一つの破断によって開放される。
【００３１】
「吸収用品」という用語は、尿、排出物、月経の液体などの体の滲出液を吸収し、保持するために使用者の皮膚に対して配置される製品を意味する。本発明は主として、使い捨て可能な吸収用品に関するものであり、それは使用後に、洗浄されること、また他の状況では回復させられること、もしくは再使用されることを意図されていない吸収用品を意味する。使い捨て可能な吸収用品の一例として、例えば生理用ナプキン、パンティライナー、生理用パンティなどの女性用衛生用品；子供および失禁をする大人用のオムツおよびパンツ型オムツ；失禁パッド；オムツのインサートが挙げられる。
【００３２】
「感湿添加剤」とは、何らかの方法で製品の効果および機能に役立ち、そしてその特性は、例えば保管中に水分の制御不可能なレベルに晒されるときに、損なわれ得ることを意図された添加剤を意味する。このような感湿添加剤の一例は、感湿細菌性組成物（例えば乳酸菌）、および臭気抑制添加剤（例えばゼオライトおよびシリカ）である。
【００３３】
「共生の組成物」もしくは「細菌性組成物」とは、共生の細菌、すなわち宿主の自然の微生物フロラを回復する能力を有する細菌を供えた組成物を意味する。
【００３４】
「水分活性」ａｗは、水を含む製品内に存在する水分によって生じる蒸気圧の尺度となる。
ａｗ＝ｐ／ｐｓ
ここで、
ｐ：製品の表面における水蒸気の分圧
ｐｓ：飽和圧力、もしくは、製造温度における純水上の水蒸気の分圧
水分活性は、水分含有量の活性部分、もしくは通常の状況下で、製品と環境との間で交換され得る一部を反映する。水分活性は、一般に、平衡状態の静的条件下で規定される。そのような条件下で、製品の表面における水蒸気の分圧(ｐ)は、製品の隣接環境における水蒸気の分圧と等しい。製品とその環境との間の水分の交換は、それらの二つの分圧間の違いによってなされる。
【００３５】
「分散」とは、少なくとも二つの相の混合物を意味するが、それは互いに不溶性もしくは限られた溶解性を有し、この場合、一つの相は、他の相において固体粒子、液滴または気泡を形成する。
【００３６】
好ましい、本発明の目的に適した「乳酸を生じる細菌」は、ラクトバシラス属、ラクトコッカス属、およびペディオコッカス属を含む。好ましくは、使用される細菌は、ラクトコッカス乳酸、ラクトバシラス乳酸菌、ラクトバシラス・カルバタスもしくはラクトバシラス・プランタルムからなる群から選択されたものである。より好ましい菌種は、ラクトバシラス・プランタルムから選択されるものである。さらに好ましい乳酸を生じる細菌は、ラクトバシラス・プランタルム９３１(deposition No.(DSMZ):11918)である。
【００３７】
「水蒸気不透過」材料層とは、材料層からなるキャリア部材が、キャリア部材内に存在する活性感湿添加剤の特性がほぼ失われるレベルを超える水分を許容しないほど、材料層の不透過性が高いことを意味する。これは、３７.８℃(華氏１００度)および９０％の相対湿度におけるＡＳＴＭＥ３９８−８３に基づく、６ｇ/ｍ2/２４ｈ、好ましくは最大で４ｇ/ｍ2/２４ｈ、さらに好ましくは最大で２ｇ/ｍ2/２４ｈ、より好ましくは最大で１ｇ/ｍ2/２４ｈ、最も好ましくは最大で０.１ｇ/ｍ2/２４ｈの最も高いＷＶＴＲ(水蒸気透過度)を有しても良いキャリア部材を意味する。使用される材料層はまた、好ましくは、包装日後、２３℃(華氏７３.４度)および５０％の相対湿度において、少なくとも６ヶ月、そして好ましくは９ヶ月間、添加剤がその効果を保持するように感湿添加剤を保護する。
【００３８】
ＷＶＴＲ(水蒸気透過度)に関する言及されたデータおよび値は、標準ＡＳＴＭＥ３９８−８３に基づく不飽和の値に対応しており、それは一般に、この領域において使用されており、かつ当業者は公知である。
【発明を実施するための最良の形態】
【００３９】
図１および図２は、液体浸透性表面シート２、液体非浸透性背面シート３およびそれらの間に封入された吸収体４を備えた生理用ナプキン１の一実施形態を示す。吸収体４は、第１の面１７および第２の面１８を有している。液体浸透性表面シート２は、例えばスパンボンデッド、メルトブローン、カーデッド、ハイドロエンタングルウェットレイドなどの不織素材より構成され得る。適当な不織素材は、例えば木材パルプもしくは綿繊維である天然繊維、例えばポリエステル、ポリエチレン、ポリプロピレン、ビスコースなどの人工繊維、または天然および人工繊維の混合物から構成され得る。この表面シートの素材はさらに、トウ繊維から構成されてもよく、それは、例えば欧州特許出願公開第1 035 818号明細書に開示されているような結合パターンによって互いに接合されてもよい。表面シートの素材のさらなる例は、開口プラスティックフィルムなどの多孔質フォームである。表面シートに適しているような素材は、軟質で皮膚を刺激せず、尿もしくは月経の液体などの体液が直ちに浸透されることが望ましい。
【００４０】
液体非浸透性背面シート３は、例えばポリエチレンもしくはポリプロピレンフィルム、液体非浸透材料を表面で覆った不織素材、疎水性の不織素材などの薄手のプラスティックフィルムから構成され、それは液体浸透に抵抗する。プラスティックフィルムおよび不織素材のラミネートもまた、使用されてよい。背面シートの素材は、吸収体からの蒸気を逃すことを可能にするために、通気性であるものが好ましい一方で、依然として背面シートの素材を液体が通過するのを阻止する。
【００４１】
表面シート２および背面シート３は、吸収体４に比べ平面内にある程度大きな延在部を有しており、突出部５を形成するために、その縁の外側へ伸展している。この層２および層３は、突出部５の内部で、例えば接着もしくは超音波による溶着によって互いに接続している。表面シートおよび／または背面シートはさらに、例えば粘着、もしくは熱または超音波による溶着などの公知の方法によって吸収体に付加されてもよい。この吸収体はまた、表面シートおよび／または背面シートへ付加されなくともよい。
【００４２】
粘着性領域６の形態において、固定手段は、使用時に、着用者と反体の方向に面する背面シートの側の上に設けられる。この接着材は、着用者の下着へ、除去可能に付加されてもよい。剥離紙７は、使用前に、粘着性領域６を保護する。この粘着性領域６は、例えば伸びるもしくは横切る帯、点、全面を覆われた面などの、いくつかの適した形態を有してもよい。
【００４３】
本発明に基づく吸収用品の(図示されていない)一実施形態において、例えば摩擦ファスナー、テープタブもしくはホックアンドループファスナーのような機械的ファスナーなどの他の型の留め具は、着用者の下着またはウエストの周囲へ、用品を固定するために使用されてもよい。ある吸収用品はパンツの形態であり、したがって特別な固定手段を必要としない。他の実例において、吸収用品は、付加的な留め具を必要とせず、特殊な弾性パンツ内に装着される。
【００４４】
第１の面１７および第２の面１８有している吸収体４は、いくつかの通常の種類であり得る。よく見られる吸収材の例は、セルロースフラッフパルプ、ティッシュ層、高度の吸収性のポリマー(いわゆる超吸収体)、吸収性フォーム素材、吸収性不織素材などである。吸収体において、セルロースフラッフパルプを超吸収体と組み合わせることは、一般的である。液体捕捉能力、液体拡散能力および貯留能力に関する異なる特性を備えた、異なる素材の層を備えた吸収体もまた、一般的である。これは当業者にとって周知であり、したがって、詳細な説明は省略する。この薄手の吸収体は今日の吸収用品において一般的であり、多くの場合、圧縮混合体もしくはセルロースフラッフパルプと超吸収体との層構造体を備えている。吸収体のサイズと吸収能力は、例えば、生理用ナプキン、パンティライナー、成人用失禁パッドおよびオムツ、乳児用オムツ、パンツ型オムツなどの異なる使用に適するように変更されてもよい。
【００４５】
上述され、かつ図示されているこの吸収用品は、一つの限定されていない例のみを提示しており、そして本発明はそれによって限定されず、上記タイプの吸収用品において使用できることは明らかである。
【００４６】
すでに説明されたとおり、本発明の物体は、例えば生理用ナプキン、パンティライナー、オムツ、失禁ガード、衛生ティッシュなどの衛生的な製品提供することである。吸収する体液に適しており、かつ同時に、例えばプロバイオティック物質である感湿添加剤を開放するものは、皮膚へ移動されるためのものである。この感湿添加剤は、また、臭気抑制添加剤、例えばゼオライトおよびシリカでもあり、それは、材料層の一つの剥離の後で、体の滲出液に晒されるためである。
【００４７】
本発明は、感湿添加剤を備えた製品の提供に関わる問題の解決に関するものであり、その問題は、例えば製品の保管中に添加剤の非活性化または効果の減少、およびコスト、ならびに製造効果である。
【００４８】
図１ないし図３に示されている、本発明に基づく吸収用品は、さらに、感湿添加剤８を備えている水蒸気不透過性のキャリア部材１０を備えている。このキャリア部材１０は、吸収体４の第１の面１７の上に配置されている。
【００４９】
図１および図２に基づくキャリア部材１０は、表面シート２の着用者に面する側の上部に配置されている。しかしまた、図３に示されているように、表面シート２および吸収体４の間に配置されており、好ましくない実施形態では、吸収体４および背面シート３の間、したがって吸収体４の第２の面１８の上に配置されている。
【００５０】
図４ないし図７に示されているキャリア部材１０は、第１の水蒸気不透過材料層１２および第２の水蒸気不透過材料層１３を備えており、この材料層１２，１３は、保持されている感湿添加剤の間に、水蒸気不透過容積９と共にシールされている。
【００５１】
図４ないし図７に示されているように、キャリア部材１０は、異なる方法で構成され得る。
【００５２】
キャリア部材１０は、二つの材料層１２，１３によって一つの材料層を保持すること、および開いた縁の周囲に沿って折り込まれた材料層１２，１３と共に封止することによって、図４および図５に示されているように形成され得る。
【００５３】
キャリア部材は代わりに、図６および図７に示されているように、二つの材料層１２，１３の一方を他方の上に配置すること、および個々のシール１１を備えた開いた縁を封止することによって形成され得る。
【００５４】
本発明に基づく材料の層は、少なくとも部分的に、本発明の使用に適したから一つ以上のポリマーから生産されてもよく、そのポリマーは、ポリエチレン、ポリプロピレン、ポリエステル、ポリエチレンテレフタラート、ポリ塩化ビニル、ポリ二塩化ビニル、環状オレフィン共重合体、ポリオレフィン、金属化ポリオレフィン、エチレン酸化ビニルコポリマー、エチレンエチルアクリラートコポリマー、エチレンブチルアクリラートコポリマー、ポリアミド、ポリビニルアルコール、イオノマー、コポリマーおよびそれらの混合体ならびにセラミックバリアを備えたプラスティックラミネートからなる群から選択されるものである。
【００５５】
十分な水蒸気バリア特性を備えたポリマー材料は、ポリエチレン、ポリプロピレン、ポリエステル、ポリ塩化ビニル、ポリ二塩化ビニル、環状オレフィン共重合体、金属化ポリオレフィン、セラミックバリアを備えたプラスティックラミネートである。
【００５６】
アルミニウム製の箔、アルミニウム酸化物もしくはシリコン酸化物なども、同様に、材料層を製造するための水蒸気バリア材料に適しており、三つの材料の後者の例として、Techbarrier Ｓ，Ｖ，Ｈ，Ｔ，ＡＴ，ＮＲ，ＮＹ Mitsubishi、Helional ＷＴ(Amcor Flexibles)、ＶＡ535670(metallised ＰＥ／ＰＥＴ)(Nordenia)、4364(Schur-Flexible)、Coex HDPE Surlyn(Schur-Flexible)、Coex Cheerios(Schur-Flexible)がある。本発明に基づくラミネートの使用に適していてもよい他の材料は、ワックス、紙、塗料および粘着材である。
【００５７】
図８が示す、保護性を有する三つのラミネートとしての材料層１２，１３は、外部保護層として存在することを意図された耐性のある層１６、水蒸気不透過性中間層１５および感湿添加剤に面することを意図された内部シール層１４を有する。
【００５８】
材料層１２、１３、すなわち図８に示された層は、好ましくは、１０〜４００μｍ、好ましくは２０〜３００μｍの厚みを有する。
【００５９】
水蒸気不透過材料層１２、１３を形成することを意図された材料は、多くの場合、高価であり、最も薄手の材料層が使われる一方で、所望の強度特性は、依然として保持されていることが好ましい。有効な磨耗強さを有しており、かつ容易に封止可能な材料層１２、１３を生産するために、外部保護性の耐磨耗層１６としておよび／または内部シール層１４として、高価でない材料が使われてもよい。例えば、材料層１２，１３は、例えば、ポリオレフィン、エチレン酸化ビニルコポリマー、エチレンエチルアクリラートコポリマー、エチレンブチルアクリラートコポリマー、ポリエチレンエチルアクリラート、ポリエチレンビニルアセテート、ポリアミド、イオノマー、もしくは、ワックスからなる群から調達されるため、有効なシール１１が使用可能である内側ラミネート層１４、アルミニウム、アルミニウム酸化物、シリコン酸化物、ポリエチレン、ポリプロピレン、ポリエステル、ポリ塩化ビニル、ポリ二塩化ビニル、環状オレフィン共重合体、ポリオレフィン、金属化ポリオレフィン、ポリアミド(ナイロン)またはセラミックバリアを備えたプラスティックラミネートからなる群から選択されたものである、有効な水蒸気不透過性を有する材料から成る中間ラミネート層１５、かつ、例えば、ポリエステル、ポリエチレン、またはポリプロピレンからなる群から選択されるものである外側の層１６を含んでもよい。材料層１２、１３は、１〜１０の異なる材料のラミネート層から構成されてもよい。例に限定されないラミネート層は、高度のバリアのアルミニウムラミネートおよび高度のバリアのアルミニウムを含まないラミネートであるCeramis(登録商標)であり、いずれもALCAN Packaging Cramlington社製。
【００６０】
好適な封止法は、例えば、超音波溶着、熱シール、低温での熱シール、もしくは低温シールである。低温シールよび低温での熱シールの場合において、例えば、ポリエチレンエチルアクリラート、ポリエチレンビニルアセテートまたはワックスであるシール層は、キャリア部材の封止される側に付加される。このシール層は、表面全体、もしくはシール(いわゆるボーダーコーティング)をなされるところにのみ、付加され得る。熱シールを容易にするため、水蒸気不透過材料層および内部ラミネート「溶着」層に使用されるラミネート層は、一般に、低濃度ポリエチレン(ＬＤＰＥ)、付加的に、共重合されたブチルアクリラートまたはビニルアセテートを含む。これは、高速で作用するための熱シールを使用可能にする。キャリア部材を封止するとき、すべての封止の方法の場合において、容積の周囲をシール材料とともに、加圧することが必要とされる。これは、低温、高温、または微熱ホイールもしくはシールづめに補助されて粘着され、かつ圧力の影響を受ける必要がある。そして温度および与えられた時間かかることは、選択された材料に適しており、かつ意図された、しっかりしたシールおよび封止力が生じることになる。
【００６１】
この材料層はまた、このシールを形成するために、ともに接着されてもよい。
【００６２】
キャリア部材１０が水分の侵入を防ぐことを保証するために、キャリア部材１０が、しっかりしたシール１１を伴って完全に閉鎖されることは、重要であり、その結果、シール１１を通して計測したときでさえ、キャリア部材１０のＷＶＴＲは(３７.８℃(華氏１００度)および９０％の相対湿度におけるＡＳＴＭＥ３９８−８３に基づいて測定された)、最大で６ｇ/ｍ2/２４ｈ、好ましくは最大で４ｇ/ｍ2/２４ｈ、さらに好ましくは最大で２ｇ/ｍ2/２４ｈ、より好ましくは最大で１ｇ/ｍ2/２４ｈ、最も好ましくは最大で０.１ｇ/ｍ2/２４ｈである。
【００６３】
図５によって測定されたものと同様の、シール１１の幅Ｗは、水蒸気が容積９の中へと拡散するための時間に影響される。本発明の一実施形態によれば、シールは、少なくとも１ｍｍ、好ましくは３ｍｍ、そして最も好ましくは５ｍｍの幅Ｗを有している。これは、感湿添加剤８の効果が長時間、保持することを保証する。
【００６４】
感湿添加剤を含む二つ以上のキャリア部材具備する吸収用品は、本発明の範囲内にあり、それらは、好ましくは吸収用品の長手方向において、離間されて配置される。
【００６５】
さらなる実施形態において(図示していない)、キャリア部材は、感湿添加剤を含む二つ以上の容積を具備し、それは、好ましくは、吸収用品の長手方向において、離間されて配置される。上述の二つの例において、二つ以上のキャリア部材１０、もしくは二つ以上の容積９が、異なる種類の感湿添加剤を含んでいることは可能である。例えば、一つの吸収用品１は、二つの個々の容積９を含む一つのキャリア部材１０を有し、ここで、容積９の一つは臭気抑制剤を含み、そして他方の容積９は、細菌性組成物を具備する。
【００６６】
図９ａ〜図９ｅは、本発明に基づいた、異なる形状を有するキャリア部材を図示しており、図９ａは、折り込まれ、伸張された、開放することを容易に使用可能にするためのつまみを形成するための、面取りされた縁を備えた、キャリア部材１０を示し、図９ｂは、他の伸張されたキャリア部材を示す。図９ｃは、円形のキャリア部材を示す。図９ｄは、砂時計形のキャリア部材１０を示す。図９ｅは、事実上、折り込まれた三角形状に形成されたキャリア部材１０を示す。
【００６７】
本発明の一態様によれば、キャリア部材の長さは、１〜１５ｃｍ、好ましくは２〜８ｃｍ、そして最も好ましくは２〜５ｃｍである。さらなる態様において、キャリア部材の幅は、０.５〜５ｃｍ、好ましくは０.８〜３ｃｍ、最も好ましくは１〜２ｃｍである。
【００６８】
キャリア部材１０において、図９ｃ〜図９ｅによる例に関しては、その長さに沿って変化する幅を有しており、本発明の範囲とは、その長さに沿ったあるポイントにおいて、請求項に記載されているような幅を有するすべてのキャリア部材が含むものとして理解されることが望ましい。
【００６９】
吸収用品１の使用前に、キャリア部材の一つの材料層１２もしくは１３は、細菌性組成物に着用者を晒すため、もしくは臭気抑制剤に吸収用品を晒すために、除去または破損されることが望ましい。これは多くの異なる方法によって達成されてもよく、例えばキャリア部材１０は、材料層１２または１３の一つが剥離されることによって、もしくはキャリア部材１２または１３の一つが圧縮されることもしくは破損されることによって開放される。このキャリア部材はまた、自由端と、その一方で、引き糸の残りの部分はキャリア部材１０へと一体化している引き糸の残りを有する糸を引くことによって開放される。引き糸を引くときに、材料層１２，１３は、剥離、または破損されることとなる。
【図面の簡単な説明】
【００７０】
【図１】本発明に基づく一つの実施形態を示す平面図である。
【図２】図１におけるII−II線での吸収用品の断面図である。
【図３】吸収用品の代替実施形態の断面図である。
【図４】本発明に基づくキャリア部材の平面図である。
【図５】図４におけるＶ−Ｖ線でのキャリア部材の断面図である。
【図６】本発明の代替実施形態に基づくキャリア部材の平面図である。
【図７】図６におけるＶII−ＶII線でのキャリア部材の断面図である。
【図８】本発明に基づくキャリア部材の第１および第２の材料層の一実施形態の断面図である。
【図９ａ】異なる形状を有する本発明のに基づくキャリア部材を示す図である。
【図９ｂ】異なる形状を有する本発明のに基づくキャリア部材を示す図である。
【図９ｃ】異なる形状を有する本発明のに基づくキャリア部材を示す図である。
【図９ｄ】異なる形状を有する本発明のに基づくキャリア部材を示す図である。
【図９ｅ】異なる形状を有する本発明のに基づくキャリア部材を示す図である。
【符号の説明】
【００７１】
１  吸収用品
２  液体浸透性表面シート
３  液体浸透性背面シート
４  吸収体
５  突出部
６  粘着性領域
７  剥離紙
８，９  水蒸気不透過容積
１０  キャリア部材
１１  シール
１２，１３  水蒸気不透過材料層（感湿添加剤）
１４  内側ラミネート層
１５  中間層
１６  外側ラミネート層
１７  第１の面
１８  第２の面
【図１】
2009521253.tif 000003
【図２】
2009521253.tif 000004
【図３】
2009521253.tif 000005
【図４】
2009521253.tif 000006
【図５】
2009521253.tif 000007
【図６】
2009521253.tif 000008
【図７】
2009521253.tif 000009
【図８】
2009521253.tif 000010
【図９ａ】
2009521253.tif 000011
【図９ｂ】
2009521253.tif 000012
【図９ｃ】
2009521253.tif 000013
【図９ｄ】
2009521253.tif 000014
【図９ｅ】
2009521253.tif 000015
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
着用者に面する面および衣類に面する面を備えた吸収体(４)と、細菌性組成物(８)と、キャリア部材(１０)とを具備してなる吸収用品(１)であって、
前記キャリア部材(１０)は、第１および第２の水蒸気不透過材料層(１２，１３)を具備してなり、前記材料層は、その間に前記細菌性組成物(８)を保持する水蒸気不透過容積(９)を形成するためのシール(１１)によって封止されており、前記キャリア部材(１０)は、前記吸収体(４)の前記着用者に面する面に配置されていることを特徴とする吸収用品(１)。
【請求項２】
前記第１および／または第２の材料層(１２，１３)は、金属箔を具備してなることを特徴とする請求項１に記載の吸収用品。
【請求項３】
前記金属箔は、アルミニウム製であることを特徴とする請求項２に記載の吸収用品。
【請求項４】
前記金属箔は、少なくとも２μｍ、好ましくは５〜２０μｍ、そして最も好ましくは７〜１０μｍの厚みを有していることを特徴とする請求項２または請求項３のいずれか一項に記載の吸収用品。
【請求項５】
前記第１および／または第２の材料層(１２，１３)は、金属酸化物の層および／またはシリコン酸化物の層を具備してなることを特徴とする請求項１ないし請求項４のいずれか一項に記載の吸収用品。
【請求項６】
前記金属酸化物の層は、アルミニウム酸化物製の層であることを特徴とする請求項５に記載の吸収用品。
【請求項７】
前記第１および／または第２の材料層は、ポリマーフィルムを具備してなることを特徴とする請求項１ないし請求項６のいずれか一項に記載の吸収用品。
【請求項８】
前記ポリマーフィルムは、ポリエチレン、ポリプロピレン、ポリエステル、ポリ塩化ビニル、ポリ二塩化ビニル、環状オレフィン共重合体、コポリマー、およびそれらの混合体、金属化ポリオレフィン、ならびにセラミックバリアを備えたプラスティックラミネートからなる群から選択されるものであることを特徴とする請求項７に記載の吸収用品。
【請求項９】
前記第１および／または第２の材料層(１２，１３)は、ポリマー材料を具備してなるラミネートを具備してなることを特徴とする請求項１ないし請求項８のいずれか一項に記載の吸収用品。
【請求項１０】
前記第１および／または第２の材料層(１２，１３)は、金属箔およびポリマー材料ならびに／またはワックスからなるラミネートを具備してなることを特徴とする請求項１ないし請求項１０のいずれか一項に記載の吸収用品。
【請求項１１】
前記ラミネートは、少なくとも三つのラミネート層を具備してなることを特徴とする請求項９または請求項１０に記載の吸収用品。
【請求項１２】
前記ポリマー材料またはワックスは、前記感湿添加剤(８)に面する内側ラミネート層(１４)を形成していることを特徴とする請求項１０または請求項１１に記載の吸収用品。
【請求項１３】
前記ポリマー材料は、前記感湿添加剤(８)と反対の方向に面する外側ラミネート層(１６)を形成していることを特徴とする請求項１０ないし請求項１３のいずれか一項に記載の吸収用品。
【請求項１４】
前記内側ラミネート層(１４)および前記外側ラミネート層(１６)の両方は、ポリマー材料および／またはワックスによって形成されることを特徴とする請求項１１ないし請求項１３のいずれか一項に記載の吸収用品。
【請求項１５】
前記ポリマー材料は、ポリエチレン、ポリプロピレン、ポリエステル、ポリエチレンテレフタラート、ポリ塩化ビニル、ポリ二塩化ビニル、環状オレフィン共重合体、ポリオレフィン、金属化ポリオレフィン、エチレン酸化ビニルコポリマー、エチレンエチルアクリラートコポリマー、エチレンブチルアクリラートコポリマー、ポリアミド、ポリビニルアルコール、イオノマー、コポリマーおよびそれらの混合体ならびにセラミックバリアを備えたプラスティックラミネートからなる群から選択されるものであることを特徴とする請求項９ないし請求項１４のいずれか一項に記載の吸収用品。
【請求項１６】
前記ワックスは、植物性ワックス、ミネラルワックス、動物性ワックス、シリコンワックスおよびそれらの混合体からなる群れから選択されたものであることを特徴とする請求項９ないし請求項１４のいずれか一項に記載の吸収用品。
【請求項１７】
前記ポリマー材料もしくはワックスは、前記水蒸気不透過容積(９)の周囲で前記シール(１１)を形成することを特徴とする請求項１２、請求項１５および請求項１６のいずれか一項に記載の吸収用品。
【請求項１８】
前記水蒸気不透過容積(９)の前記シール(１１)は、少なくとも１ｍｍ、好ましくは３ｍｍ、そして最も好ましくは５ｍｍの幅(Ｗ)を有していることを特徴とする請求項１ないし請求項１７のいずれか一項に記載の吸収用品。
【請求項１９】
前記キャリア部材の長さは、１〜１５ｃｍ、好ましくは２〜８ｃｍ、そして最も好ましくは２〜５ｃｍであることを特徴とする請求項１ないし請求項１８のいずれか一項に記載の吸収用品。
【請求項２０】
前記キャリア部材の幅は、０.５〜５ｃｍ、好ましくは０.８〜３ｃｍ、最も好ましくは１〜２ｃｍであることを特徴とする請求項１ないし請求項１９のいずれか一項に記載の吸収用品。
【請求項２１】
前記吸収用品(１)は、液体浸透性表面シート(２)および背面シート(３)を具備してなり、前記吸収体(４)は、前記表面シート(２)および前記背面シート(３)の間に配置されていることを特徴とする請求項１ないし請求項２０のいずれか一項に記載の吸収用品。
【請求項２２】
前記キャリア部材(１０)は、前記表面シート(２)の着用者に面する面に配置されることを特徴とする請求項２１に記載の吸収用品。
【請求項２３】
前記キャリア部材(１０)は、前記表面シート(２)と前記吸収体(４)との間に配置されていることを特徴とする請求項２１に記載の吸収用品。
【請求項２４】
前記キャリア部材(１０)は、二つの材料層(１２，１３)を、両者の間に前記感湿添加剤が存在する状態で一方を他方の上に存在するように配置すること、および前記二つの材料層の間に形成された開いた縁を封止することによって形成されていることを特徴とする請求項１ないし請求項２３のいずれか一項に記載の吸収用品。
【請求項２５】
前記キャリア部材は、一つの材料層(１２もしくは１３)を、前記感湿添加剤が二つの材料層(１２，１３)の間に配置された状態となるように、折り込まれた材料層の間に配置されること、および前記開いた縁に沿って前記折り込まれた材料層(１２，１３)を互いに封止することによって形成されていることを特徴とする請求項１ないし請求項２４のいずれか一項に記載の吸収用品。
【請求項２６】
前記細菌性組成物は乾燥パウダーの形態であることを特徴とする請求項１ないし請求項２５に記載の吸収用品。
【請求項２７】
前記細菌性組成物は、移送媒体もしくは担持要素中に分散されるか、または移送媒体もしくは担持要素に対して付加されることを特徴とする請求項１ないし請求項２６のいずれか一項に記載の吸収用品。
【請求項２８】
前記移送媒体は、疎水性の組成物であることを特徴とする請求項２７に記載の吸収用品。
【請求項２９】
前記担持要素は、繊維状の材料もしくは接着剤であることを特徴とする請求項２７に記載の吸収用品。
【請求項３０】
前記細菌性組成物は、乳酸を生じる細菌を含むことを特徴とする請求項１ないし請求項２９のいずれか一項に記載の吸収用品。
【請求項３１】
前記乳酸を生じる細菌は、乳酸菌プランタルム９３１であることを特徴とする請求項３０に記載の吸収用品。
【請求項３２】
前記吸収用品(１)は、前記吸収用品(１)の長手方向において離間した少なくとも二つのキャリア部材(１０)を具備してなることを特徴とする請求項１ないし請求項３１のいずれか一項に記載の吸収用品。
【請求項３３】
前記キャリア部材(１０)は、吸収用品(１)の使用時に、一つの材料層(１２または１３)を開放状態になるように剥離させることによって、および／または破断することによって、その点で保たれていた感湿添加剤の放出するために開放されるため構成されることを特徴とする請求項１ないし請求項３２のいずれか一項に記載の吸収用品。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
着用者に面する面および衣類に面する面を備えた吸収体(４)と、細菌性組成物(８)と、キャリア部材(１０)とを具備してなる吸収用品(１)であって、
前記キャリア部材(１０)は、第１および第２の水蒸気不透過材料層(１２，１３)を具備してなり、前記材料層は、その間に前記細菌性組成物(８)を保持する水蒸気不透過容積(９)を形成するためのシール(１１)によって封止されており、前記キャリア部材(１０)は、前記吸収体(４)の前記着用者に面する面に配置されていることを特徴とする吸収用品(１)。
【請求項２】
前記第１および／または第２の材料層(１２，１３)は、金属箔を具備してなることを特徴とする請求項１に記載の吸収用品。
【請求項３】
前記金属箔は、アルミニウム製であることを特徴とする請求項２に記載の吸収用品。
【請求項４】
前記金属箔は、少なくとも２μｍ、好ましくは５〜２０μｍ、そして最も好ましくは７〜１０μｍの厚みを有していることを特徴とする請求項２または請求項３のいずれか一項に記載の吸収用品。
【請求項５】
前記第１および／または第２の材料層(１２，１３)は、金属酸化物の層および／またはシリコン酸化物の層を具備してなることを特徴とする請求項１ないし請求項４のいずれか一項に記載の吸収用品。
【請求項６】
前記金属酸化物の層は、アルミニウム酸化物製の層であることを特徴とする請求項５に記載の吸収用品。
【請求項７】
前記第１および／または第２の材料層は、ポリマーフィルムを具備してなることを特徴とする請求項１ないし請求項６のいずれか一項に記載の吸収用品。
【請求項８】
前記ポリマーフィルムは、ポリエチレン、ポリプロピレン、ポリエステル、ポリ塩化ビニル、ポリ二塩化ビニル、環状オレフィン共重合体、コポリマー、およびそれらの混合体、金属化ポリオレフィン、ならびにセラミックバリアを備えたプラスティックラミネートからなる群から選択されるものであることを特徴とする請求項７に記載の吸収用品。
【請求項９】
前記第１および／または第２の材料層(１２，１３)は、ポリマー材料を具備してなるラミネートを具備してなることを特徴とする請求項１ないし請求項８のいずれか一項に記載の吸収用品。
【請求項１０】
前記第１および／または第２の材料層(１２，１３)は、金属箔およびポリマー材料ならびに／またはワックスからなるラミネートを具備してなることを特徴とする請求項１ないし請求項１０のいずれか一項に記載の吸収用品。
【請求項１１】
前記ラミネートは、少なくとも三つのラミネート層を具備してなることを特徴とする請求項９または請求項１０に記載の吸収用品。
【請求項１２】
前記ポリマー材料またはワックスは、前記細菌性組成物(８)に面する内側ラミネート層(１４)を形成していることを特徴とする請求項１０または請求項１１に記載の吸収用品。
【請求項１３】
前記ポリマー材料は、前記細菌性組成物(８)と反対の方向に面する外側ラミネート層(１６)を形成していることを特徴とする請求項１０ないし請求項１３のいずれか一項に記載の吸収用品。
【請求項１４】
前記内側ラミネート層(１４)および前記外側ラミネート層(１６)の両方は、ポリマー材料および／またはワックスによって形成されることを特徴とする請求項１１ないし請求項１３のいずれか一項に記載の吸収用品。
【請求項１５】
前記ポリマー材料は、ポリエチレン、ポリプロピレン、ポリエステル、ポリエチレンテレフタラート、ポリ塩化ビニル、ポリ二塩化ビニル、環状オレフィン共重合体、ポリオレフィン、金属化ポリオレフィン、エチレン酸化ビニルコポリマー、エチレンエチルアクリラートコポリマー、エチレンブチルアクリラートコポリマー、ポリアミド、ポリビニルアルコール、イオノマー、コポリマーおよびそれらの混合体ならびにセラミックバリアを備えたプラスティックラミネートからなる群から選択されるものであることを特徴とする請求項９ないし請求項１４のいずれか一項に記載の吸収用品。
【請求項１６】
前記ワックスは、植物性ワックス、ミネラルワックス、動物性ワックス、シリコンワックスおよびそれらの混合体からなる群れから選択されたものであることを特徴とする請求項９ないし請求項１４のいずれか一項に記載の吸収用品。
【請求項１７】
前記ポリマー材料もしくはワックスは、前記水蒸気不透過容積(９)の周囲で前記シール(１１)を形成することを特徴とする請求項１２、請求項１５および請求項１６のいずれか一項に記載の吸収用品。
【請求項１８】
前記水蒸気不透過容積(９)の前記シール(１１)は、少なくとも１ｍｍ、好ましくは３ｍｍ、そして最も好ましくは５ｍｍの幅(Ｗ)を有していることを特徴とする請求項１ないし請求項１７のいずれか一項に記載の吸収用品。
【請求項１９】
前記キャリア部材の長さは、１〜１５ｃｍ、好ましくは２〜８ｃｍ、そして最も好ましくは２〜５ｃｍであることを特徴とする請求項１ないし請求項１８のいずれか一項に記載の吸収用品。
【請求項２０】
前記キャリア部材の幅は、０.５〜５ｃｍ、好ましくは０.８〜３ｃｍ、最も好ましくは１〜２ｃｍであることを特徴とする請求項１ないし請求項１９のいずれか一項に記載の吸収用品。
【請求項２１】
前記吸収用品(１)は、液体浸透性表面シート(２)および背面シート(３)を具備してなり、前記吸収体(４)は、前記表面シート(２)および前記背面シート(３)の間に配置されていることを特徴とする請求項１ないし請求項２０のいずれか一項に記載の吸収用品。
【請求項２２】
前記キャリア部材(１０)は、前記表面シート(２)の着用者に面する面に配置されることを特徴とする請求項２１に記載の吸収用品。
【請求項２３】
前記キャリア部材(１０)は、前記表面シート(２)と前記吸収体(４)との間に配置されていることを特徴とする請求項２１に記載の吸収用品。
【請求項２４】
前記キャリア部材(１０)は、二つの材料層(１２，１３)を、両者の間に前記細菌性組成物が存在する状態で一方を他方の上に存在するように配置すること、および前記二つの材料層の間に形成された開いた縁を封止することによって形成されていることを特徴とする請求項１ないし請求項２３のいずれか一項に記載の吸収用品。
【請求項２５】
前記キャリア部材は、一つの材料層(１２もしくは１３)を、前記細菌性組成物が二つの材料層(１２，１３)の間に配置された状態となるように、折り込まれた材料層の間に配置されること、および前記開いた縁に沿って前記折り込まれた材料層(１２，１３)を互いに封止することによって形成されていることを特徴とする請求項１ないし請求項２４のいずれか一項に記載の吸収用品。
【請求項２６】
前記細菌性組成物は乾燥パウダーの形態であることを特徴とする請求項１ないし請求項２５に記載の吸収用品。
【請求項２７】
前記細菌性組成物は、移送媒体もしくは担持要素中に分散されるか、または移送媒体もしくは担持要素に対して付加されることを特徴とする請求項１ないし請求項２６のいずれか一項に記載の吸収用品。
【請求項２８】
前記移送媒体は、疎水性の組成物であることを特徴とする請求項２７に記載の吸収用品。
【請求項２９】
前記担持要素は、繊維状の材料もしくは接着剤であることを特徴とする請求項２７に記載の吸収用品。
【請求項３０】
前記細菌性組成物は、乳酸を生じる細菌を含むことを特徴とする請求項１ないし請求項２９のいずれか一項に記載の吸収用品。
【請求項３１】
前記乳酸を生じる細菌は、乳酸菌プランタルム９３１であることを特徴とする請求項３０に記載の吸収用品。
【請求項３２】
前記吸収用品(１)は、前記吸収用品(１)の長手方向において離間した少なくとも二つのキャリア部材(１０)を具備してなることを特徴とする請求項１ないし請求項３１のいずれか一項に記載の吸収用品。
【請求項３３】
前記キャリア部材(１０)は、吸収用品(１)の使用時に、一つの材料層(１２または１３)を開放状態になるように剥離させることによって、および／または破断することによって、その点で保たれていた細菌性組成物を放出するために開放されるように構成されることを特徴とする請求項１ないし請求項３２のいずれか一項に記載の吸収用品。
【国際調査報告】
2009521253.tif 000016
2009521253.tif 000017
2009521253.tif 000018
2009521253.tif 000019
2009521253.tif 000020
2009521253.tif 000021